(57)【要約】【課題】トナーセーブモードでの画質の劣化を抑えた画像形成装置を提供する。【解決手段】複数色の入力階調を有する画像データに基づいてカラー画像を形成する画像形成装置において，所定の変換特性に基づいて画像データの入力階調から画像再生データを生成するハーフトーン処理部を有するコントローラユニットと，画像再生データに基づいて入力階調に対応する出力濃度の画像を形成する印刷エンジンとを有し，コントローラユニットは，複数色の入力階調をそれぞれのトナー抑制率で抑制して画像再生データを生成するトナーセーブモードを有し，コントローラユニットは，更に，複数色それぞれのトナー抑制率を可変設定する抑制率設定部を有する。【選択図】図１
2008271275.tif 000002
【特許請求の範囲】
【請求項１】
複数色の入力階調を有する画像データに基づいてカラー画像を形成する画像形成装置において，
所定の変換特性に基づいて前記画像データの入力階調から画像再生データを生成するハーフトーン処理部を有するコントローラユニットと，
前記画像再生データに基づいて前記入力階調に対応する出力濃度の画像を形成する印刷エンジンとを有し，
前記コントローラユニットは，前記複数色の入力階調をそれぞれのトナー抑制率で抑制して前記画像再生データを生成するトナーセーブモードを有し，
前記コントローラユニットは，更に，前記複数色それぞれのトナー抑制率を可変設定する抑制率設定部を有する画像形成装置。
【請求項２】
請求項１において，
前記ハーフトーン処理部は，前記複数色の入力階調に対する画像の出力濃度の測定値に基づいて，前記所定の変換特性を，前記入力階調に対して前記画像の出力濃度が所定の特性になるように補正する出力濃度補正モードを有することを特徴とする画像形成装置。
【請求項３】
請求項１または２において，
前記抑制率設定部は，前記複数色の入力階調に対する出力濃度の測定値に基づいて，トナー抑制時の出力濃度が初期目標値に一致するように前記複数色それぞれのトナー抑制率を設定することを特徴とする画像形成装置。
【請求項４】
請求項２において，
前記抑制率設定部は，前記複数色の入力階調に対する出力濃度の測定値のうち最大出力濃度または所定の入力階調に対応する基準出力濃度の測定値に基づいて，トナー抑制時の最大出力濃度または基準出力濃度が初期目標値に一致するように前記複数色それぞれのトナー抑制率を設定することを特徴とする画像形成装置。
【請求項５】
請求項４において，
前記最大出力濃度または基準出力濃度の測定値は，前記ハーフトーン処理部が前記出力濃度補正モードで取得した測定値に含まれる測定値であることを特徴とする画像形成装置。
【請求項６】
請求項１において，
前記コントローラユニットは，前記トナーセーブモードで前記複数色の入力階調をそれぞれのトナー抑制率で抑制した抑制入力階調に変換する階調変換部を有し，
前記ハーフトーン処理部は，前記抑制入力階調を前記画像再生データに変換することを特徴とする画像形成装置。
【請求項７】
請求項１または２において，
前記抑制率設定部は，前記複数色が低濃度のコンポジットグレイパッチであって前記複数色についてそれぞれトナー抑制率を組み合わせた複数のコンポジットグレイパッチを有するパッチ画像から，選択されたコンポジットグレイパッチのトナー抑制率の組み合わせに，前記複数色のトナー抑制率を設定することを特徴とする画像形成装置。
【請求項８】
請求項１において，
前記抑制率設定部は，黒色のトナー抑制時の出力濃度が当該黒色以外の複数色のトナー抑制時の出力濃度のいずれよりも大きくなる範囲で，前記黒色のトナー抑制率を可変設定することを特徴とする画像形成装置。
【請求項９】
請求項８において，
前記抑制率設定部は，前記黒色のトナー抑制率を，黒色の入力階調に対する出力濃度の特性が，入力階調の全領域で出力濃度の傾きが一定の第１の特性，第１の入力階調領域での出力濃度の傾きが前記第１の入力階調領域より高い第２の入力階調領域での出力濃度の傾きよりも大きい第２の特性，または，第１の入力階調領域での出力濃度の傾きが前記第１の入力階調領域より高い第２の入力階調領域での出力濃度の傾きよりも小さい第３の特性のいずれかを設定することを特徴とする画像形成装置。
【発明の詳細な説明】
【技術分野】
【０００１】
本発明は，プリンタ，複写機，ファックスなどの画像形成装置に関し，特に，トナーセーブモードを有するカラー画像形成装置に関する。
【背景技術】
【０００２】
カラー画像形成装置にドラフト印刷などの目的でトナーセーブモードを搭載することが行われている。トナーセーブモードに設定すると，画像形成装置は通常時よりもトナー量を削減して現像を行う。
【０００３】
以下の特許文献１には，トナーセーブモードの場合に，ＣＭＹＫの４色のトナーのうち，ＣＭＹの３色のトナーを同じ割合で抑制（減少）させ，Ｋ（ブラック）のトナーだけは抑制せずに通常時と同じ量に制御することが提案されている。ＣＭＹトナーのトナー抑制率を全て同じ割合で行っているので，ＣＭＹによる色相は変化せず彩度が低下するのみであり，画質が劣化しがたい。また，Ｋトナーを抑制しないことで，黒文字が中間濃度の黒にならず二値化処理による文字品質の劣化は生じず，自然画像についてはＫトナーの割合が高いのでＣＭＹＫ全てを一律に抑制する場合に比べて画像が鮮明になり締まった画質になる。その結果，トナーセーブによる画質の劣化を抑制することができる。
【０００４】
さらに，出願中の特許文献２には，ＣＭＹトナーを抑制しながら，Ｋトナーも抑制することが提案されている。ＣＭＹトナーを例えば５０％程度に抑制し，Ｋトナーはそれよりも多い抑制率にして，Ｋトナーの量をＣＭＹトナーの量よりも多くして画質低下を抑制している。
【０００５】
また，特許文献３，４，５には，画像形成装置の入力階調と出力濃度との関係を理想的なリニアな関係に保つために，印刷エンジンにより生成したパッチパターンを測定し，入力階調を画像形成のためのデータに変換するスクリーンテーブルの特性を補正することが記載されている。
【特許文献１】特開２００４−３０９６６２号公報
【特許文献２】特願２００６−３１７９８５号公報
【特許文献３】特開２０００−５６５２５号公報
【特許文献４】特開２００６−３３４０２号公報
【特許文献５】特開２００４−１０２２３９号公報
【発明の開示】
【発明が解決しようとする課題】
【０００６】
しかしながら，カラー画像形成装置は，経年変化により入力階調に対応する出力濃度の特性が変化する場合がある。例えば，ＣＭＹトナーのうち一部，例えばＭトナーの出力濃度が通常状態（理想状態）より低下もしくは上昇することがある。その結果，ＣＭＹトナーの色のバランスが崩れてしまう。この場合，Ｍトナーの出力濃度が上昇した場合は入力階調を低下させる補正をすることで色バランスを通常状態に戻すことができるが，低下した場合は印刷エンジンの再チューニングをしない限り補正することはできない。
【０００７】
上記のように，ＣＭＹトナーの出力濃度が通常状態からずれると，前述のトナーセーブモードにより形成されるカラー画像も色バランスが崩れてることになる。
【０００８】
そこで，本発明の目的は，トナーセーブモードでの画質の劣化を抑えた画像形成装置を提供することにある。
【課題を解決するための手段】
【０００９】
上記の目的を達成するために，本発明の側面によれば，複数色の入力階調を有する画像データに基づいてカラー画像を形成する画像形成装置において，
所定の変換特性に基づいて前記画像データの入力階調から画像再生データを生成するハーフトーン処理部を有するコントローラユニットと，前記画像再生データに基づいて前記入力階調に対応する出力濃度の画像を形成する印刷エンジンとを有し，
前記コントローラユニットは，前記複数色の入力階調をそれぞれのトナー抑制率で抑制して前記画像再生データを生成するトナーセーブモードを有し，前記コントローラユニットは，更に，前記複数色それぞれのトナー抑制率を可変設定する抑制率設定部を有することを特徴とする。
【００１０】
上記本発明の側面によれば，トナーセーブモードでの複数色それぞれのトナー抑制率を可変設定することで，印刷エンジンなどの特性変化にかかわらず所望の色バランスの画像を形成することができる。
【００１１】
上記本発明の側面の好ましい態様によれば，前記ハーフトーン処理部は，前記複数色の入力階調に対する画像の出力濃度の測定値に基づいて，前記所定の変換特性を，前記入力階調に対して前記画像の出力濃度が所定の特性になるように補正する出力濃度補正モードを有する。所定の特性とは，例えばリニア特性，上に凸の特性，下に凸の特性，上下に凸のＳ字特性などである。
【００１２】
上記本発明の側面の好ましい態様によれば，前記抑制率設定部は，前記複数色の入力階調に対する出力濃度の測定値に基づいて，トナー抑制時の出力濃度が初期目標値に一致するように前記複数色それぞれのトナー抑制率を設定する。
【００１３】
上記本発明の側面の好ましい態様によれば，前記抑制率設定部は，前記複数色の入力階調に対する出力濃度の測定値のうち最大出力濃度または所定の入力階調に対応する基準出力濃度の測定値に基づいて，トナー抑制時の最大出力濃度または基準出力濃度が初期目標値に一致するように前記複数色それぞれのトナー抑制率を設定する。
【００１４】
上記本発明の側面の好ましい態様によれば，前記最大出力濃度または基準出力濃度の測定値は，前記ハーフトーン処理部が前記出力濃度補正モードで取得した測定値に含まれる測定値である。
【００１５】
上記本発明の側面の好ましい態様によれば，前記コントローラユニットは，前記トナーセーブモードで前記複数色の入力階調をそれぞれのトナー抑制率で抑制した抑制入力階調に変換する階調変換部を有し，前記ハーフトーン処理部は，前記抑制入力階調を前記画像再生データに変換する。
【００１６】
上記本発明の側面の好ましい態様によれば，前記抑制率設定部は，前記複数色が低濃度のコンポジットグレイパッチであって前記複数色についてそれぞれトナー抑制率を組み合わせた複数のコンポジットグレイパッチを有するパッチ画像から，選択されたコンポジットグレイパッチのトナー抑制率の組み合わせに，前記複数色のトナー抑制率を設定する。
【００１７】
上記本発明の側面の好ましい態様によれば，前記抑制率設定部は，黒色のトナー抑制時の出力濃度が当該黒色以外の複数色のトナー抑制時の出力濃度のいずれよりも大きくなる範囲で，前記黒色のトナー抑制率を可変設定する。
【発明を実施するための最良の形態】
【００１８】
以下，図面にしたがって本発明の実施の形態について説明する。但し，本発明の技術的範囲はこれらの実施の形態に限定されず，特許請求の範囲に記載された事項とその均等物まで及ぶ。
【００１９】
図１は，本実施の形態における画像形成装置の構成図である。図１には，画像形成装置の一例としてプリンタの構成が示される。プリンタ以外には，スキャナ機能を内蔵した複写機，ファクシミリなども同様の画像形成装置である。
【００２０】
プリンタ２０は，ホストコンピュータ１０にネットワークなどを介して接続され，ホストコンピュータ１０にインストールされたプリンタドライバ１２から印刷データを受信する。プリンタ２０は，印刷データに基づいて画像再生データを生成するコントローラユニット２００と，画像再生データに基づいて画像を形成する印刷エンジン２５０とを有する。
【００２１】
コントローラユニット２００は，コントローラユニット全体を制御するＣＰＵ２０２と，画像データなどを格納するメモリ２０６と，印刷データを受信するインターフェースＩＦと，印刷データに基づく画像データをＲＧＢからＣＭＹＫに色変換する色変換部２０８と，色変換されたＣＭＹＫの画像データの入力階調値を所定の特性に基づいて階調変換する階調変換部２０９と，階調変換部２０９から出力される階調値を所定のガンマ特性（またはスクリーン）に基づいて画像形成用の画像再生データに変換するハーフトーン・スムージング処理部２１０と，画像再生データをパルス幅変調するパルス幅変調器２１２とを有する。
【００２２】
さらに，不揮発性メモリ２１４は，前述の所定のガンマ特性を有するスクリーンガンマテーブル２１６と，補正ガンマテーブル２１８と，センサ値・紙上濃度変換テーブル２２０と，トナーセーブモードでのトナー抑制率テーブル２２２とを記録している。ハーフトーン・スムージング処理部２１０は，ＡＭスクリーンやＦＭスクリーンに対応するガンマ特性を有するスクリーンガンマテーブル２１６を参照して，入力階調値を画像再生データに変換する。また，ハーフトーン・スムージング処理部２１０は，画像のエッジ部分の解像度を改良する処理も行う。
【００２３】
印刷エンジン２５０は，エンジンコントローラ２５２と，レーザダイオードまたはライン状発光素子などからなる発光手段２５４と，感光体ドラム２５６と，図示しない現像ユニット，転写ユニット，定着ユニットなどを有する。そして，エンジンコントローラ２５２は，コントローラユニット２００が生成する画像再生データに基づいて，発光手段２５４からビームを照射させて，感光体ドラム２５６上に潜像を形成し，現像ユニットにより潜像をトナー像に現像し，転写ユニットによりトナー像を印刷媒体，例えば用紙に転写し，定着ユニットにより用紙上にトナー画像を定着する。
【００２４】
印刷エンジン２５０は，さらに内蔵する濃度センサ２６０により，感光体ドラム２５６上にまたは中間転写媒体（図示せず）上に形成されたトナー像からなるパッチ画像２５６の濃度を検出し，コントローラユニット２００にセンサインターフェースＳ−ＩＦを介してそのセンサ値を出力する。
【００２５】
トナーセーブモードでは，階調変換部２０９が，トナー抑制率テーブル２２２の抑制率に基づいてＣＭＹＫの階調値を抑制した階調値に変換する。また，自動画像濃度制御では，センサ値から得られるパッチ画像２５６の出力濃度に基づいて，ハーフトーン処理部２１０への入力階調とそれにより形成される画像の出力濃度とが理想的なリニア特性になるように，補正ガンマテーブル２１８を生成する。
【００２６】
［トナーセーブモード］
図２は，コントローラユニット内の色変換部，階調変換部，ハーフトーン・スムージング処理部２１０の構成図を示す図である。ＣＰＵは，ホストコンピュータ１０から受信した印刷データに基づいて，画像の画素毎の例えばＲＧＢの階調値を生成し，色変換部２０８が色変換ルックアップテーブル２０８Ｔを参照してＲＧＢの階調値をＣＭＹＫの階調値に色変換する。そして，階調変換部２０９は，所定の特性を有する階調変換ルックアップテーブル２０９Ｔを参照して，ＣＭＹＫ階調値をＣ’Ｍ’Ｙ’Ｋ’階調値に階調変換する。この階調変換は，例えば印刷エンジン２５０の固体誤差などを除去するためのものである。
【００２７】
また，階調変換部２０９は，印刷指定されたトナーセーブモードのトナー抑制率に応じてＣＭＹＫの階調値をＣ’Ｍ’Ｙ’Ｋ’の階調値に階調変換する機能も有する。図２の階調変換テーブル２０９Ｔは，通常の階調変換テーブル例でありＣＭＹＫ全てについて同じ変換特性で階調変換される。一方，階調変換テーブル２０９Ｔｘは，トナーセーブモード時の階調変換テーブル例である。この例は，前述の特許文献１に記載されたものと同じであり，Ｋの階調値については階調値を抑制せず，ＣＭＹの階調値についてのみ一律に階調値を抑制する。ＣＭＹの階調値を一律に抑制することで色相は変化せず彩度のみが低下し，またＫトナーは抑制しないので文字画像の劣化はなく，自然画像は締まった画像にすることができる。
【００２８】
ハーフトーン・スムージング処理部２１０は，Ｃ’Ｍ’Ｙ’Ｋ’の入力階調値をスクリーンガンマテーブル２１６を参照してＣ”Ｍ”Ｙ”Ｋ”の出力階調値に変換する。この出力階調値ＯＵＴが画像再生データに対応する。
【００２９】
［自動画像濃度制御］
プリンタのコントローラユニット２００は，自動画像濃度制御プログラム２０４を実行することで，入力階調値に対する印刷エンジンの出力画像濃度が理想的な特性を維持するように自動的に補正制御を行う。また，自動画像濃度制御プログラム２０４は，トナーセーブモードでのトナー抑制率を補正する機能も有する。自動画像濃度制御の概略は次の通りである。
【００３０】
まず，プリンタの電源起動時や，感光体ドラムや現像ユニットの置き換え時などの所定のタイミングで，自動画像濃度制御プログラム２０４は，印刷エンジン２５０に低濃度から高濃度まで所定の階調ステップを有するパッチ画像２５８を形成させる。具体的には，コントローラユニット２００がパッチ画像データから図２の構成により画像再生データを生成し，印刷エンジン２５０がその画像再生データに対応するパッチ画像２５８を感光体ドラム２５６上に形成する。このパッチ画像２５８はトナー像であり，図示しない中間転写媒体上に形成されてもよい。そして，濃度センサ２６０がパッチ画像２５８の濃度を測定しそのセンサ値がコントローラユニット２００に供給される。
【００３１】
自動画像濃度制御プログラム２０４は，このセンサ値に基づいて紙上の出力濃度値を求め，パッチ画像データの入力階調値と出力濃度値との関係を示す入力階調・出力濃度特性を求める。そして，この入力階調・出力濃度特性が理想的なリニアな関係になるように，入力階調値を補正するための補正ガンマテーブル２１８を生成し，不揮発性メモリ２１４に記録する。そして，この補正ガンマテーブル２１８に基づいてスクリーンガンマテーブル２１６が補正され，ハーフトーン処理部２１０は，その補正スクリーンガンマテーブル２１６を参照して，入力階調値データを画像再生データに変換する。または，ハーフトーン処理部２１０は，補正ガンマテーブル２１８を参照して入力階調値を補正し，補正された入力階調値をスクリーンガンマテーブル２１６を参照して画像再生データに変換する。
【００３２】
図３は，自動画像濃度制御プログラムによる制御手順を示すフローチャート図である。自動画像濃度制御プログラム２０４は，前述のとおり自動画像濃度制御機能に加えてトナーセーブモードでのトナー抑制率の補正機能も有している。また，図４は，入力階調と出力濃度の特性と補正ガンマテーブルの例を示す図である。そして，図５は画像濃度補正を行うハーフトーン処理部の構成図である。さらに，図６は自動画像濃度制御におけるグラフを示す図である。これらを参照して自動画像濃度制御について説明する。
【００３３】
図３において，コントローラユニット２００は，自動画像濃度制御プログラム２０４を実行してパッチ画像２５８を生成する（Ｓ１０）。パッチ画像２５８は，パッチデータに基づいて通常の印刷処理と同様にして形成される。パッチデータは，印刷可能な２５６階調をパッチ階調数Ｐｍａｘに応じて２５５／（Ｐｍａｘ−１）の等間隔に区分した入力階調値を有するデータである。このパッチデータを，通常印刷時に使用するスクリーンガンマテーブル２１６により画像再生データに変換し，それを印刷エンジン２５０により画像形成してパッチ画像２５８が形成される。
【００３４】
次に，印刷エンジン内の感光体ドラム２５６上のパッチ画像２５８の出力濃度についてセンサ値を取得する（Ｓ１２）。図６の第１象限のグラフ６００が，パッチデータに対応する入力階調とパッチ画像から得たセンサ値との関係グラフであり，横軸は０〜２５５の入力階調値，縦軸は０〜１０２３のセンサ値を示す。このセンサ値は正規化された値である。
【００３５】
次に，コントローラユニット２００は，センサ値を紙上濃度値に変換する（Ｓ１４）。すなわち，工場出荷段階などであらかじめ求めておいたセンサ値・紙上濃度変換テーブル２２０を使用して，各パッチパターンのセンサ値から紙上濃度値（出力濃度値）を求める。図５の第２象限のグラフ２２０が，センサ値・紙上濃度変換テーブル２２０の一例である。このテーブルにより０〜１０２３のセンサ値が０〜２５５の紙上濃度値に変換される。この変換テーブル２２０は，事前にパッチ画像を印刷媒体の紙上に形成しその紙上濃度を測色器で測定し，その紙上濃度とパッチパターンのセンサ値とから生成される。
【００３６】
図４に，上記の入力階調とセンサ値のグラフ６００と，センサ値と出力濃度のグラフ２２０とから得られる，入力階調・出力濃度特性６０３が示されている。この入力階調・出力濃度特性６０３が，理想的にはリニアな関係６０４であることが望ましい。しかし，エンジンやトナーの経年変化により入力階調と出力濃度の特性がリニアでなくなる場合がある。そこで，上記のパッチ画像の出力濃度を測定してその特性を検出し，その特性がリニアな関係になるように補正することが必要になる。そのために，図６の第４象限に示した補正ガンマテーブル２１８を生成して，入力階調に対する出力濃度が理想的なリニアな特性６０４になるようにする。
【００３７】
すなわち，自動画像濃度制御プログラムは，入力階調・出力濃度特性６０３がリニアな特性６０４になるような補正ガンマテーブル２１８を生成する（Ｓ１６）。そして，自動画像濃度制御プログラムは，この補正ガンマテーブル２１８に基づいてスクリーンガンマテーブル２１６を修正する（Ｓ１８）。その後の通常印刷では，この修正されたスクリーンガンマテーブル２１６に基づいて入力階調が画像再生データに変換される。または，補正ガンマテーブル２１８とスクリーンガンマテーブル２１６とにより入力階調が画像再生データに変換される。
【００３８】
図６の第４象限の補正ガンマテーブル２１８は，図６の反時計回りで，補正後入力階調ＩＮａが補正ガンマテーブル２１８により補正前入力階調ＩＮｂに変換され，それが印刷エンジン（特性６００，２２０を有する）で画像形成されると，補正後入力階調ＩＮａと出力濃度とが理想的なリニア特性６０４になることを意味している。つまり，ハーフトーン処理部２１０が，補正前の入力階調値ＩＮｂ＝64を，補正後の入力階調値ＩＮａ＝56.73で使用してハーフトーン処理するようにすれば，リニア特性６０４の出力濃度を得ることができる。図４に示されるとおり，補正前では，入力階調・出力濃度特性６０３によれば，ある入力階調値に対して得られる紙上濃度値が理想値よりも低くなり出力画像が淡く印刷されることが判明したため，補正後では，入力階調値56.73を補正ガンマテーブル２１８により階調値64に補正変換し，その補正変換した入力階調値64をハーフトーンガンマテーブルによりハーフトーン処理することで，より濃い画像を出力させることができる。
【００３９】
図５は，補正ガンマテーブルを使用したハーフトーン処理部を示す図である。このハーフトーン処理部２１０は，補正後入力階調値ＩＮａ＝56.73を補正ガンマテーブル２１８で補正前入力階調値ＩＮｂ＝64に変換し，それをスクリーンガンマテーブル２１６で変換して画像再生データを生成する。この画像再生データにより印刷された出力濃度Ｄが図６の第３象限の縦軸の階調値ＩＮａ＝56.73に対応する出力濃度になり，リニアな特性６０４が実現される。
【００４０】
なお，ハーフトーン処理部２１０は，前述のとおり，補正ガンマテーブル２１８に基づいてスクリーンガンマテーブル２１６を補正し，補正されたスクリーンガンマテーブルにより，補正後入力階調値ＩＮａを画像再生データに変換してもよい。
【００４１】
図７は，自動画像濃度補正による特性の補正を示す図である。上記の自動画像濃度補正によれば，画像データの入力階調に対する出力濃度の関係は，図７（Ａ）に示したノンリニアな特性１，２，３が，図７（Ｂ）に示したリニアな特性１，２，３に補正される。この濃度補正は，工場出荷時における印刷エンジンの特性に起因してノンリニアな特性をリニアな特性に修正することができるとともに，経年変化により印刷エンジンの特性が変化したりトナーの特性が変化したことに起因して工場出荷時に補正されていた特性がノンリニアになった場合にもリニアな特性に修正できる。この自動画像濃度補正は，ＣＭＹＫの４色についてそれぞれ行われる。
【００４２】
図７に示されるとおり，自動画像濃度補正によれば，入力階調及び出力濃度の最小値と最大値との間がリニアな特性に補正される。よって，最大出力濃度が低下すればそのリニア特性の傾きも小さくなり，最大出力濃度が上昇すればそのリニア特性の傾きも大きくなる。もし，ＣＭＹのうち一色のみ最大出力濃度が低下した場合，その色のリニア特性の傾きを大きくすることはエンジンのチューニングを行わない限り画像処理ではできない。逆に最大出力濃度が上昇している場合は，画像処理でリニア特性の傾きを小さく補正することは可能である。
【００４３】
図８は，トナーセーブモードを説明する図である。図８（Ａ）の左側には，定常状態におけるＣＭＹの画像の補正後の入力階調と出力濃度との関係例が示されている。図７で説明したとおり，入力階調と出力濃度とはリニアな特性になっている。また，ＣＭＹ画像間では，最大出力濃度にわずかな違いが存在する場合がある。図８（Ａ）の右側には，トナーセーブモードにおけるＣＭＹの画像の補正後の入力階調と出力濃度との関係例が示されている。図２で説明したトナーセーブモードでは，ＣＭＹ画像の入力階調が一律に所定のトナー抑制率に基づいて抑制（図中矢印方向）されるので，その出力濃度も一律に抑制される。
【００４４】
図８（Ｂ）には，定常状態（実線）とトナーセーブモード（破線）における画像形成装置の色再現範囲が示されている。実線で示した定常状態ではＣＭＹ画像の最大入力階調に対応する出力濃度を最大濃度とする色再現範囲が形成される。それに対して，破線で示したトナーセーブモードでは，ＣＭＹ画像の入力階調が抑制されるので，抑制された最大入力階調に対応する出力濃度を最大濃度とする色再現範囲が形成される。このトナーセーブモードでは，ＣＭＹの入力階調が同じ抑制率で抑制されるので，ＣＭＹのバランスは保たれ定常状態と同じ色相の画像を形成することができる。
【００４５】
図９は，トナーセーブモードの問題点を説明する図である。この例は，経年変化によりマゼンタＭの最大出力濃度が矢印に示されるとおり低下している。図９（Ａ）の左側の経時変化によりマゼンタＭの最大出力濃度が低下すると，リニア特性に補正されたＣＭＹの出力濃度のバランスが崩れて色相に変化が生じる。このマゼンタＭの出力濃度が低下した状態で，図９（Ｂ）の右側に示すとおりＣＭＹの入力階調が同じ抑制率で抑制されると，ＣＭＹのバランスが崩れたまま抑制される。
【００４６】
図９（Ｂ）には，定常状態（実線）と経時変化時（一点鎖線）とトナーセーブモード（破線７００，７０２）における画像形成装置の色再現範囲が示されている。実線の定常状態とそれに対するトナーセーブモード７００は，図８（Ｂ）と同じである。一方，一点鎖線の経時変化時はマゼンタＭの最大出力濃度が低下しているので，ＣＭＹを一律に抑制したトナーセーブモード７０２でもマゼンタＭの最大出力濃度が他のＣ，Ｙとの関係でバランスを崩したままになる。その結果，トナーセーブモード７０２では，定常状態のトナーセーブモード７００に比較すると，赤近辺の色合いは黄味が強くなり，青近辺の色合いは青みが強くなる。
【００４７】
［本実施の形態におけるトナーセーブモード］
図９で説明したとおり，印刷エンジンやトナーの特性の経年変化によりＣＭＹの色バランスが崩れると，ＣＭＹを一律に抑制するトナーセーブモードでもＣＭＹの色バランスが崩れた画像が形成される。図９のように，ある色の最大出力濃度が低下した場合，通常印刷モードではその最大出力濃度を上昇させるように画像処理で補正することはできない。しかし，トナーセーブモードではＣＭＹのトナー量が抑制されるので，その抑制率を調整することでＣＭＹの色バランスを正常状態に戻すことが可能になる。もちろん，ある色の最大出力濃度が上昇した場合も正常状態に戻すことができる。
【００４８】
そこで，本実施の形態におけるトナーセーブモードでは，画像濃度補正を行った時に検出した最大出力濃度に応じて，トナー抑制率を算出し，トナーセーブモードでは定常状態における色バランスに修正した画像を形成できるようにする。画像濃度補正では，入力階調に対する出力濃度がリニアな関係になるように補正するので，トナー抑制率を最大出力濃度の変化に対応して設定するようにすれば，全ての入力階調の範囲で色バランスがとれた出力濃度を得ることができる。
【００４９】
図３の画像濃度補正及びトナー抑制率補正のフローチャートに示されるとおり，工程Ｓ１４で入力階調に対する出力濃度（紙上濃度値）を測定した後に，ＣＭＹＫ各色の最大出力濃度に応じてトナー抑制率を演算し（Ｓ２０），求めたトナー抑制率を不揮発性メモリ１４のトナー抑制率テーブル２２２に記憶する（Ｓ２２）。そして，トナーセーブモードでは，階調変換部２０９が入力階調にトナー抑制率を乗算する。その結果，トナー量が抑制された画像が形成される。ただし，ハーフトーン処理部２１０が補正ガンマテーブル２１８を使用して，もしくは補正ガンマテーブル２１８により補正されたスクリーンガンマテーブル２１６を使用して入力階調値を画像再生データに変換するので，リニア特性は維持される。
【００５０】
トナー抑制率rate（Color）[%]は，入力階調In(０≦In≦２５５)，階調変換後の出力階調Outとすると，次の式の通りである。
【００５１】
【数１】
2008271275.tif 000003
また，CMY各色のトナー抑制率rate（Color）[%]は，目標とするトナーセーブ時に得たい最大出力濃度であるsave_max(Color)をあらかじめ設定し，現状の濃度特性との関係をもとに算出する。現状の濃度特性は図３のように内蔵する濃度センサによるパッチ画像のセンサ値から求めても良いし，印刷媒体に形成したパッチ画像を測色機で測定した値から求めても良いし，ユーザが入力した値を使用してもよい。トナー抑制率は，以下の式で求められる。ただし，dens(0)は紙白濃度（最小出力濃度），dens(255)は最大出力濃度である。
【００５２】
【数２】
2008271275.tif 000004
図１０は，本実施の形態におけるトナーセーブモードを説明する図である。図１０（Ａ）にはトナーセーブしない場合の入力階調と出力濃度のリニア特性（実線）が３種類示され，更にトナーセーブ時の特性（破線）７００が示されている。ここでは，任意の色の特性について示している。
【００５３】
実線のリニア特性のうち定常状態（１）は，入力階調に対して，最小出力濃度が０．１，最大出力濃度が１．６のリニア特性になっている。したがって，出力濃度を５０％に抑制するトナーセーブモードの場合は，セーブした最大出力濃度save_max(color)は０．８５（＝（１．６−０．１）／２）にすることが必要になる。定常状態（１）の場合のトナー抑制率rate（Color）は，当然にして，上記の式（２）に基づき，図１０（Ｂ）の定常状態（１）に示されるようにトナー抑制率rate（Color）＝５０％になる。そして，トナーセーブモードで，階調変換部２０９（図１，２）が入力階調にこのトナー抑制率rate（Color）＝５０％を乗算すれば，出力濃度が０．１〜０．８５の範囲に抑制される。上記のsave_max(color)＝０．８５が目標とするトナーセーブ時の最大出力濃度である。
【００５４】
次に，実線のリニア特性のうち濃度上昇（２）は，最大出力濃度が１．７に上昇している。そのためリニア特性は定常状態（１）よりも全体的に高くなっている。したがって，５０％のトナーセーブモードの場合に，セーブした最大出力濃度save_max(color)を目標値の０．８５にするためには，トナー抑制率を定常状態（１）よりも低くすることが必要になる。つまり，濃度上昇（２）の場合のトナー抑制率rate（Color）は，式（２）に基づき，図１０（Ｂ）の濃度上昇（２）に示されるようにrate（Color）＝４６．８８％になる。つまり，目標とするトナーセーブ時の最大出力濃度save_max(color)＝０．８５と，現状の最大出力濃度１．７とに基づいて，トナー抑制率rate（Color）が求められる。
【００５５】
最後に，実線のリニア特性のうち濃度低下（３）は，最大出力濃度が１．３に下降している。そのためリニア特性は定常状態（１）よりも全体的に低くなっている。したがって，５０％のトナーセーブモードの場合に，セーブした最大出力濃度save_max(color)を目標値の０．８５にするためには，トナー抑制率を定常状態（１）よりも高くすることが必要になる。つまり，濃度低下（３）の場合のトナー抑制率rate（Color）は，式（２）に基づき，図１０（Ｂ）の濃度低下（３）に示されるようにrate（Color）＝６２．５０％になる。この場合も，目標とするトナーセーブ時の最大出力濃度save_max(color)＝０．８５と，現状の最大出力濃度１．３とに基づいて，トナー抑制率rate（Color）が求められる。
【００５６】
なお，トナーセーブ率を５０％以外に設定した場合は，定常状態（１）においてそのトナーセーブ率に対応する目標とするトナーセーブ時の最大出力濃度save_max(color)が設定される。そして，現状の最大出力濃度との関係から，式（２）により各色のトナー抑制率rate（Color）が求められる。
【００５７】
図１１，１２，１３は，本実施の形態におけるＣＭＹのトナーセーブを説明する図である。図１０では任意の色のトナー抑制率を説明したが，図１１，１２，１３では，ＣＭＹのトナー抑制率を説明し，その場合の色再現空間を示して，トナーセーブモードでＣＭＹの色バランスが崩れないことを説明する。
【００５８】
図１１は，定常状態の場合である。図１１（Ａ）はトナーセーブしない場合のＣＭＹの入力階調・出力濃度特性（実線）と，トナーセーブ時の特性（破線）とが示されている。この場合，マゼンタＭの最小出力濃度が０．１，最大出力濃度が１．６である。この濃度特性は経年変化がなく工場出荷時と一致している。したがって，トナーセーブ時はＣＭＹ全てのトナー抑制率を５０％にすれば，目標最大出力濃度０．８５にすることができる。
【００５９】
図１１（Ｂ）には定常状態における色再現範囲が示されている。ＣＭＹの濃度特性に経年変化がなく定常状態にあるので，トナーセーブ時の再現できる色空間７００は，印刷エンジンが出力可能な最大の色空間８００の５０％の空間になっている。定常状態ではトナーセーブしない時もトナーセーブ時も共にＣＭＹの色バランスは崩れていないので，トナーセーブ時の画像に色相の変化はない。
【００６０】
図１２は，マゼンタの最大出力濃度が上昇した場合である。つまり，図１２（Ａ）の実線に示されるとおり，マゼンタＭの最大出力濃度が１．７と上昇し，最大出力濃度がＣＭＹの順番になっている。その結果，図１２（Ｂ）の印刷エンジンが出力可能な最大色空間８００は，マゼンタＭで広がっている。
【００６１】
この場合，トナーセーブモードでマゼンタＭの最大出力濃度を目標値０．８５にするために，マゼンタＭのトナー抑制率を４６．８８％に設定する。それ以外のＣＹのトナー抑制率は５０％に設定する。その結果，図１２（Ａ）の破線に示されるとおり，トナーセーブ時の最大出力濃度はＣＹＭの順番に戻っている。
【００６２】
図１２（Ｂ）に示されるとおり，マゼンタＭのトナー抑制率を５０％にすると色再現空間７０４に示すとおり色のバランスが崩れてしまうが，本実施の形態では，マゼンタＭのみトナー抑制率を４６．８８％にし，ＣＹのトナー抑制率を５０％にしているので，トナーセーブ時の色再現空間７００は，定常状態の７００と一致する。よって，トナーセーブ時の色バランスが理想状態と一致し色相に変化は生じない。
【００６３】
図１３は，マゼンタの最大出力濃度が低下した場合である。つまり，図１３（Ａ）の実線に示されるとおり，マゼンタＭの最大出力濃度が１．３と低下し，最大出力濃度がＣＹに比較してＭが低くなりすぎている。その結果，図１３（Ｂ）の印刷エンジンが出力可能な最大色空間８０２は，マゼンタＭで狭まっている。
【００６４】
この場合，トナーセーブモードでマゼンタＭの最大出力濃度を目標値０．８５にするために，マゼンタＭのトナー抑制率を６２．５０％に設定する。それ以外のＣＹのトナー抑制率は５０％に設定する。その結果，図１３（Ａ）の破線に示されるとおり，トナーセーブ時の最大出力濃度はＣＹＭがバランス良く補正されている。
【００６５】
図１３（Ｂ）に示されるとおり，マゼンタＭのトナー抑制率を５０％にすると色再現空間７０２に示すとおり色のバランスが崩れてしまうが，本実施の形態では，マゼンタＭのみトナー抑制率を６２．５０％にし，ＣＹのトナー抑制率を５０％にしているので，トナーセーブ時の色再現空間７００は，定常状態の７００と一致する。よって，トナーセーブ時の色バランスが理想状態と一致し色相に変化は生じない。
【００６６】
図１３の最大出力濃度が低下した場合は，トナーセーブモードでトナー量が抑制されることを利用して，その抑制率を調整することで，トナーセーブモードでの色バランスを理想状態に戻すことができる。この処理はコントローラによる画像処理で行うことができる。
【００６７】
図１４は，本実施の形態におけるＫのトナーセーブを説明する図である。トナーセーブモードでは，ＣＭＹのトナー量を抑制するとともに，Ｋのトナー量も必要に応じて抑制する。ただし，Ｋのトナー量の抑制率は，抑制後のＫトナーの最大出力濃度が，抑制後のＣＭＹトナーの最大出力濃度のいずれよりも大きくなる範囲で設定することが望ましい。具体的には，抑制後のＫトナーの最大出力濃度は，カラートナーとのバランス上，抑制後のＣＭＹカラートナーの最大出力濃度よりも２０〜３０％増加させる。そのようにすることで，トナーセーブモード時の自然画像の締まりを良くすることができる。
【００６８】
図１４（Ａ）に示すとおり，本実施の形態では，抑制後のＫトナー最大出力濃度９０２が，トナー抑制しない場合のＫトナー最大出力濃度９００よりも低く，抑制後のＣＭＹトナー最大出力濃度９０４，９０６，９０８のいずれよりも高くなるように設定する。すなわち，Ｋトナーの許容される出力階調範囲は９１０の範囲に入ることが望ましい。
【００６９】
そこで，図１４（Ｂ）に示すとおり，抑制後のＫトナーの出力濃度特性９２０は，図１４（Ａ）に示したＫトナー許容範囲９１０内に収まればよく，その許容範囲９１０内で所望の濃度特性をとることができる。たとえば，（１）最小から最大まで一定の割合で抑制する特性，（２）最小から最大まで上に凸の単調増加により抑制する特性，（３）最小から最大まで下に凸の単調増加により抑制する特性のいずれかである。（２）は，第１の入力階調領域での出力濃度の傾きが第１の入力階調領域よりも高い第２の入力階調領域での出力濃度の傾きよりも大きい場合である。また，（３）は，第１の入力階調領域での出力濃度の傾きが第１の入力階調領域よりも高い第２の入力階調領域での出力濃度の傾きよりも小さい場合である。
【００７０】
上記（１）の場合は，有彩色と無彩色のバランスが最も良くＫトナーの抑制量も平均的なものとなる。上記（２）の場合は，画像の暗部領域の締まりを改善しつつＫトナーの抑制量を増加させることができる。また，上記（３）の場合は，Ｋトナーの抑制量は低下するが，画像の輪郭のコントラストを高めることができる。また，（２）（３）のように単調増加特性を維持することで，Ｋトナーの出力濃度の連続性が保たれ，階調飛びや階調潰れによる画質低下を抑えることができる。
【００７１】
上記（１）の場合はＫのトナー抑制率はテーブル内に１つ設定すればよい。上記（２），（３）の場合は，Ｋのトナー抑制率を，入力階調に応じて複数設定することが求められる。または，階調変換部２０９が参照できるトナー抑制テーブルを上記（２）（３）の特性に基づいて生成し，テーブル２２２に記録してもよい。
【００７２】
さらに，Ｋトナーを抑制することで黒文字の入力階調が中間階調になり，スクリーニング処理部２１０によるスクリーニング処理でドットなしが増加して文字品質の低下が懸念される。しかし，スクリーニング・スムージング処理部２１０によるスムージング処理で，処理対象の階調値の境界を示す閾値をＫトナーの抑制量に合わせて低下させることで，黒文字が中間階調になってもエッジとして検出され解像度が改良されるので，文字品質の低下を抑えることができる。また，Ｋトナーについては，スクリーニング処理で，ＦＭスクリーンによる処理や誤差拡散処理など密度変調スクリーンを利用したり，同じ出願人により提案されているアドバンストＡＭスクリーン法のように，網点間隔は一定でも重心位置に網点中心を移動させる処理をすることで，文字品質の低下を抑制することができる。
【００７３】
［目視によるトナー抑制率の補正］
前述のトナーセーブモード時のトナー抑制率の補正は，内蔵パッチ画像を生成し内蔵センサで出力濃度を測定することで，現状の出力濃度特性を求め，それに対応してトナー抑制率をＣＭＹＫ別々に補正している。しかし，内蔵パッチ画像を生成し測定しなくても，パッチ画像を印刷用紙に印刷し，測色機で出力濃度を測定し，その測定結果に応じてトナー抑制率を再設定するようにしても良い。さらに，測色機が利用できない場合には，以下のパッチ画像を利用して目視によりトナー抑制率を決定するようにすることもできる。
【００７４】
図１５は，本実施の形態における目視によるトナー抑制率補正のためのパッチ画像例を示す図である。図１５のパッチ画像は，低濃度領域，例えば４０％程度の低濃度のコンポジットグレイパッチ群であって，ＣＭＹそれぞれについてトナー抑制率を５０％（設定値０）にした出力濃度を基準濃度として，トナー抑制率５５％（設定値＋１），６０％（設定値＋２），４５％（設定値−１），４０％（設定値−２）で組み合わせたパッチ群からなる。各設定値におけるＣＭＹ各色のグレイ階調値の例が表９４０に示されている。
【００７５】
パッチ群９３０は，中心のパッチ６２がＣＭＹ全て設定値０の基準濃度のパッチであり，右斜め軸方向にＣトナーの設定値がプラスとマイナスになるパッチと，左斜め軸方向にＭトナーの設定値がプラスとマイナスになるパッチとを有する。パッチ群９３０の下地９３５は基準濃度になっている。
【００７６】
パッチ群９３１，９３２，９３３，９３４も同様のパッチ群で構成される。そして，パッチ群９３０に比較すると，パッチ群９３１，９３２はＹトナーの設定値がプラス方向に変化し，パッチ群９３３，９３４はＹトナーの設定値がマイナス方向に変化している。各パッチ群にそれぞれ２５個のパッチが含まれ，合計で１２５パッチを有する。
【００７７】
ユーザは，図１５のパッチ画像を印刷用紙に形成し，どのパッチがトナーセーブモードでの理想的な色バランスを有するパッチ画像かを目視で選択する。そして，選択したパッチ番号を，例えばホストコンピュータ１０のプリンタドライバ１２から入力する。または，プリンタ２０に設けられている入力ボタンから入力する。この選択されたパッチ画像が現状のＣＭＹの出力濃度特性としてプリンタに認識される。よって，プリンタの自動画像濃度制御及びトナー抑制率補正プログラム２０４は，選択されたパッチ番号に対応するＣＭＹのトナー抑制率に各色の抑制率を修正して不揮発性メモリ１４に記憶する。
【００７８】
上記のパッチ画像を目視で選択する方法では，低濃度のグレイバランスが最適となるトナー抑制率を決定するので，トナーセーブ時の画質を官能的に一定にすることができる。グレイバランスを調整しただけでは完全に経時変化を取り除くことは困難であるが，少なくともグレイバランスの見栄えを一定に保てば色空間内の色相のずれも小さくなるので，結果的に色空間内の官能的な見栄えも一定に保たれる。
【００７９】
また，１つのプリンタで調整したグレイバランスの結果に，他のプリンタのグレイバランスを一致させるようにすれば，両者の官能的な見栄えを近づけることができエンジン間の機体差も小さくすることができる。具体的には，第１のプリンタで選択したパッチパターンと同じグレイバランスを有するパッチパターンを，第２のプリンタで選びだして選択すれば，両プリンタのトナーセーブモードでの画質は同等になる。
【００８０】
図１６は，本実施の形態における目視によるトナー抑制率補正のためのパッチ画像の別の例を示す図である。図１６のパッチ画像は図１５のパッチ画像の簡易版である。
【００８１】
図１５のパッチ画像は，トナー抑制率を５段階に変化させて得られる１２５通りのパッチパターンからなる。しかし，これらのパッチパターンは数が多く，ＣＭＹの各階調の割合が同等のパッチパターンが存在しそれらのパッチパターンは官能的には同等のグレイバランスを有するので，目視で最適なグレイバランスを選択することは熟練者でないかぎり容易ではない。
【００８２】
そこで，図１６の簡易版では，パッチ画像９５０が６角形の中に，上下方向にＹトナーをプラスまたはマイナスし，右斜め方向にＣトナーをマイナスまたはプラスし，左斜め方向にＭトナーをマイナスまたはプラスした３７個のパッチパターンで構成する。中央にデフォルト濃度のパッチ０を配置し，パッチ画像９５０の下地９５２の色がデフォルト濃度のパッチ０の色になっている。
【００８３】
図１６の簡易版のパッチ画像では，例えば，青味を強めたい場合には図１５のようにシアンとマゼンタを強めるのではなく，イエローを弱めることでグレイバランスを変更している。また，シアンとマゼンタとイエローを等量強めた場合あるいは弱めた場合には，グレイバランスに変化はないので，そのようなグレイバランスが重複するパッチは省いている。パッチ数が３７個に減少しているので，最適なパッチパターンの選択が容易になりトナー抑制率の調整が非常に簡便に行える。
【００８４】
上記の実施の形態では，ハーフトーン処理部のスクリーンガンマテーブルが補正されて，入力階調に対する出力濃度が理想的なリニアな関係になるように補正されている。しかし，本発明はかならずしもリニアな関係になるように補正されている必要はない。例えば入力階調に対する出力濃度の傾きが徐々に減少する上に凸の特性に補正されてもよい。逆に，入力階調に対する出力濃度の傾きが徐々に増加する下に凸の特性に補正されてもよい。若しくは，低入力階調領域では上に凸（または下に凸）の特性で，高入力階調領域では下に凸（または上に凸）の特性を有し，全体でＳ字の特性を有していても良い。いずれにしても，既知の特性に補正されるので，測定したまたはユーザから入力された最大出力濃度（またはある基準入力階調に対する基準出力濃度）に基づいて，トナー抑制時の最大出力濃度（または基準出力濃度）が初期目標値に一致するようにトナー抑制率が選択されればよい。
【００８５】
上記の実施の形態では，トナーセーブモードで階調変換部が入力階調をトナー抑制率により抑制した抑制入力階調に変換し，ハーフトーン処理部が抑制入力階調を画像再生データに変換している。しかし，ハーフトーン処理部内の補正ガンマテーブルでトナー抑制率により入力階調を抑制するようにしてもよい。または，ハーフトーン処理部内の補正されたスクリーンガンマテーブルが，トナー抑制率に基づいて修正され，その修正スクリーンガンマテーブルにより入力階調が画像再生データに変換されてもよい。
【図面の簡単な説明】
【００８６】
【図１】本実施の形態における画像形成装置の構成図である。
【図２】コントローラユニット内の色変換部，階調変換部，ハーフトーン・スムージング処理部２１０の構成図を示す図である。
【図３】自動画像濃度制御プログラムによる制御手順を示すフローチャート図である。
【図４】入力階調と出力濃度の特性と補正ガンマテーブルの例を示す図である。
【図５】画像濃度補正を行うハーフトーン処理部の構成図である。
【図６】自動画像濃度制御におけるグラフを示す図である。
【図７】自動画像濃度補正による特性の補正を示す図である。
【図８】トナーセーブモードを説明する図である。
【図９】トナーセーブモードの問題点を説明する図である。
【図１０】本実施の形態におけるトナーセーブモードを説明する図である。
【図１１】本実施の形態におけるＣＭＹのトナーセーブを説明する図である。
【図１２】本実施の形態におけるＣＭＹのトナーセーブを説明する図である。
【図１３】本実施の形態におけるＣＭＹのトナーセーブを説明する図である。
【図１４】本実施の形態におけるＫのトナーセーブを説明する図である。
【図１５】本実施の形態における目視によるトナー抑制率補正のためのパッチ画像例を示す図である。
【図１６】本実施の形態における目視によるトナー抑制率補正のためのパッチ画像の別の例を示す図である。
【符号の説明】
【００８７】
２０：プリンタ（画像形成装置）        ２００：コントローラユニット
２０４：自動画像濃度制御プログラム    ２１０：ハーフトーン・スムージング処理部
２１６：スクリーンガンマテーブル      ２１８：補正ガンマテーブル
２２０：センサ値・紙上濃度変換テーブル
２２２：トナー抑制率テーブル
【図１】
2008271275.tif 000005
【図２】
2008271275.tif 000006
【図３】
2008271275.tif 000007
【図４】
2008271275.tif 000008
【図５】
2008271275.tif 000009
【図６】
2008271275.tif 000010
【図７】
2008271275.tif 000011
【図８】
2008271275.tif 000012
【図９】
2008271275.tif 000013
【図１０】
2008271275.tif 000014
【図１１】
2008271275.tif 000015
【図１２】
2008271275.tif 000016
【図１３】
2008271275.tif 000017
【図１４】
2008271275.tif 000018
【図１５】
2008271275.tif 000019
【図１６】
2008271275.tif 000020